(57)【要約】【課題】  本発明は、水域又は水流の表面を移動するように設計され、前記表面の近傍に存在する、器内に流入したごみを収集する容器（ＢＡＴ）に関する。【解決手段】  容器（ＢＡＴ）は、保持手段（ＭＲＳ，ＭＲＬ）を備え、それは前記ごみを捕捉し且つ保持することができ、前記容器（ＢＡＴ）に設けられた水の入口と水の出口（ＥＯ，ＳＯ）とを連結する水の流路を作り出すことで作動され、前記保持手段（ＭＲＳ，ＭＲＬ）は前記水の流路の少なくとも一つの経路に配置されている。本発明は、前記容器（ＢＡＴ）が、該容器（ＢＡＴ）を操作かつ制御するために必要な余分な動作を要する特定の揚水又は収集装置を使用することなく、ごみを収集することができるようにする。
2005532946.tif 000002
【特許請求の範囲】
【請求項１】
水域又は水路の表面を移動し、前記表面の近傍に存在する、器内に流入したごみを収集するための容器であって、前記ごみを捕捉し且つ保持することが可能な液体ごみ保持手段を備え、前記液体ごみ保持手段が、前記容器に設けられた水の入口と水の出口とを連結するように設計された水の流路の一経路に配置されていることを特徴とするごみ収集容器。
【請求項２】
前記水の流路の上面を加熱する手段を備えることを特徴とする請求項１に記載のごみ収集容器。
【請求項３】
前記液体ごみ保持手段が、前記容器の移動の際に、水の流路によって通過されるように設計された保持タンクを備えることを特徴とする請求項１又は２に記載のごみ収集容器。
【請求項４】
前記容器が前記保持タンクの内部の温度を調整する手段を備えることを特徴とする請求項３に記載のごみ収集容器。
【請求項５】
前記保持タンクが、
前記水の流路の入口に連結するように設計され、該保持タンクの上縁によって形成され、且つ水面近傍に配置されるように設計された入口と、
前記水の流路の出口に連結するように設計され、該保持タンクの底部に作られた開口部によって形成され、且つ前記保持タンクが液体ごみで満杯の場合に閉塞手段によって遮断されるように設計された出口と、を備えることを特徴とする請求項３又は４に記載のごみ収集容器。
【請求項６】
前記閉塞手段が、前記保持タンクの出口を形成する前記開口部を覆うことができる、少なくとも一つの表面を有する浮遊体を備え、該浮遊体が、液体ごみよりも大きく且つ水よりも小さい比重を有する材料で形成されていることを特徴とする請求項４又は５に記載のごみ収集容器。
【請求項７】
前記液体ごみ保持手段が前記水の流路の第１の経路に配置され、前記容器が、前記水の流路の第２の経路に配置された固体ごみ保持手段を備えることを特徴とする請求項１〜６のいずれか１項に記載のごみ収集容器。
【請求項８】
前記固体ごみ保持手段が、前記液体ごみ保持手段に対して前記水の流路の上流に配置され、前記水の流路の前記第１及び第２の経路が、前記水の流路の入口と前記固体ごみ保持手段の出口との間で一致することを特徴とする請求項７に記載のごみ収集容器。
【請求項９】
前記固体ごみ保持手段が、前記水の流路を横切って配置された少なくとも一つの格子を備えることを特徴とする請求項７又は８に記載のごみ収集容器。
【請求項１０】
前記固体ごみ保持手段が、アセンブリを形成するように互いに対して突き出し且つ互いに固定された第１及び第２の格子を備え、前記アセンブリが前記容器に対して移動することができることを特徴とする請求項９に記載のごみ収集容器。
【請求項１１】
前記容器を作動するために、前記水の流路の出口の下流に配置された入口と前記容器の出口に向かって水の噴流を作るように設計された出口とを有するタービンを、前記水域又は水路の下に備えることを特徴とする請求項１〜１０のいずれか１項に記載のごみ収集容器。
【請求項１２】
前記タービンの出口には、位置が調整可能な偏向板が設けられ、該位置は、前記タービンによって形成される水の噴流の方向を決定することを特徴とする請求項１１に記載のごみ収集容器。
【請求項１３】
前記容器が、互いに固定され且つ互いに対して実質的に並行な少なくとも２つの外郭を備え、前記外郭の距離が水の流路の幅を定義していることを特徴とする請求項１〜１２のいずれか１項に記載のごみ収集容器。
【請求項１４】
前記容器が、前記外郭の底部を連結する整流板を備え、前記整流板を前記水域又は水流の表面から分離する距離が、前記水の流路の深さを定義することを特徴とする請求項１３に記載のごみ収集容器。
【請求項１５】
陸上での前記容器の移動操作性を促進するために、前記整流板の下面に回転部材が設けられていることを特徴とする請求項１４に記載のごみ収集容器。
【発明の詳細な説明】
【技術分野】
【０００１】
本発明は、水域又は水路の表面を移動し、且つ前記表面近傍に存在する器内に流入したごみを収集するように設計されたごみ収集容器に関する。
【背景技術】
【０００２】
このような容器は、一般に、浮遊物体又は油膜等の、水面に浮遊するごみを港湾の水から除去するために使用される。
【０００３】
このタイプの容器の大部分は揚水装置を利用し、それは比較的複雑な機械的、油圧式及び電気的設備を必要とするため、製造及び稼動させておくには費用がかかる。更に、そのような装置が機能しているかを調べることを仕事とする作業者は、機械的、油圧式及び電気的な豊富な知識が要求され、これは経験的訓練によってのみ培われることができる。
【発明の開示】
【発明が解決しようとする課題】
【０００４】
本発明の目的の一つは、ごみを収集するための容器であって、当該容器の操作に必要な行為に加えて、その装置の制御のため更なる行為が必要とされる特定の揚水装置又は収集装置を使用することのない容器を提供することである。
【課題を解決するための手段】
【０００５】
このため、本発明によると、導入部の段落で述べた容器は、前記ごみを捕捉し且つ保持することができる保持手段を備えることを特徴とし、前記容器に設けられた水の入口と水も出口とを連結するように設計された水の流路を作り出すことによって達成され、その保持手段は、前記水の流路の前記少なくとも一つの経路に配置される。
【０００６】
本発明は、故に、単に水の流路に沿った水の流れを作り出すだけで、保持手段が確実に自動的に作動できるようにし、前記水の流路は、前記水の流路の水の入口に存在する種々のごみを保持手段に向け、その水の流路は前記ごみから開放されるので、水の出口には「濾過」された水が戻される。
【０００７】
保持手段は、例えば、単に容器を動かすだけで作動されるので、特別な機構又は操作中の制御を必要としない。作業者は、容器を水先案内し、その容器を収集しようとするごみに向けることだけが要求され、容器がそれに沿って動くと当該容器は前記ごみを拾い上げる。そのような清掃作業を実行するため、作業者には、そのような容器を使用状態、即ち港湾や川等に置く操作をする能力のみが要求される。
【０００８】
本発明の第１の見地によると、保持手段は、前記水の流路の第１の経路に配される液体ごみ保持手段を備える。
【０００９】
液体ごみ保持手段は、本発明に従った容器が移動する、例えば水域や水流の表面近傍に存在する油膜を収集することを可能にする。
【００１０】
そのような用途の見地からすると、本発明に従った容器は、塊又は半固体の小粒の形で存在する油を液化するための、水の流路の上面を加熱する手段も備えることができる。
【００１１】
この第１の変形例の特定の実施形態に従うと、液体ごみ保持手段は保持タンクを備え、その保持タンクは、容器が移動する際に水の流路が通過するように設計されている。
【００１２】
容器は、保持タンクの内部の温度を調整する手段を備えることができ、それは、液体状態でタンクに含まれる油を保持することを可能にし、これはその次のタンクを空にする、例えば揚水作業を促進する。
【００１３】
保持タンクは種々の方法で作られる。保持タンクは、好ましくは、
水の流路の入口に連結されるように設計され、前記保持タンクの上縁によって形成され、且つ水面近傍に置かれるように設計された入口と、
前記水の流路の出口に連結されるように設計され、前記保持タンクの底部に作られた開口部によって形成され、且つ前記保持タンクが液体ごみで満杯の場合に閉塞手段によって遮断されるように設計された出口とを備える。
【００１４】
油は、その性質によって水より軽いので、徐々に上述の保持タンクに蓄積し、これによって水が当該油から開放され、前記保持タンクの底部から逃げることができ、当該タンクは、故に水の入口と水の出口との間の水の流路に沿った水の流れを妨げることなく、液体ごみを収集し且つ貯蔵することが可能になる。この流れは、保持タンクが満杯のとき、即ち、容器が容器内に流入するこれ以上の液体ごみを収集できないときだけ遮断される。このような流れの遮断は、閉塞手段によって実現される。
【００１５】
閉塞手段は、好ましくは、タンクの出口を形成する開口部を覆うことが可能な少なくとも一つの表面を有する浮遊体を備え、その浮遊体は、液体ごみよりも大きく且つ水よりも低い比重を有する材料で作られる。
【００１６】
この閉塞手段の実施形態は、保持タンクが満杯の場合に該保持タンクを自動的に閉塞できるので有利である。これは、浮遊体がタンクに保持された油よりも重いので、タンクが液体ごみで充満されるにつれて徐々にタンクの下に設けられた開口部に向かって下に押されるからである。タンクが満杯になると、浮遊体は前記開口部に対して自然に押され、それによって前記保持タンクの出口が閉じられる。
【００１７】
本発明の第２の見地によると、保持手段は、前記水の流路の第２の経路に配置された固体ごみ保持手段を備える。
【００１８】
保持手段は、液体ごみ保持手段と、固体ごみ保持手段との両方を備えることができる。これらが第１及び第２の経路に配置されることにより、２つの経路のうちの１つに沿った水の流れが、他方の経路に沿った水の流れが妨げられるだけの理由で、妨害されることがないことを確保することを可能にする。
【００１９】
固体ごみ保持手段が、液体ごみ保持手段に対して水の流路の上流に配置されている場合、前記水の流路の第１及び第２の経路は、前記水の流路の入口と固体ごみ保持手段の出口との間で一致する。
【００２０】
液体ごみ保持手段と、固体ごみ保持手段のこのような配置は、容器のサイズを縮小し、水流の経路を早期に遮断する危険性を最小にすることができる。
【００２１】
これは、主に、液体ごみ保持手段がそのようなごみで満杯な場合に、このごみが容器の水の出口に排出されることを防止するために、水流の遮断が起こるからである。この固体ごみ保持手段を液体ごみ保持手段の上流に置く配置は、第１及び第２の経路が固体ごみ保持手段の下流で分岐し、液体ごみ保持手段を通る水の流れの遮断が固体ごみ保持手段の操作に実質的に影響しないことを確実にすることを可能にする。
【００２２】
固体ごみ保持手段は種々の方法で作られ、特に、水の流路に配置された少なくとも一つの格子を備える。
【００２３】
固体ごみ保持手段は、アセンブリを形成するように互いに対して突き出し且つ互いに固定された第１及び第２の格子を好ましくは備え、そのアセンブリは前記容器に対して移動可能である。
【００２４】
この固体ごみ保持手段の好ましい実施形態は、前記ごみが、効果的な態様で収集され且つ貯蔵されることができるようにし、容器がごみを降ろす場合、コンテナにそのごみを容易に空けることができるようにする。
【００２５】
容器は多くの方法、例えば、適当な流れ偏向手段を備えた船外モータなどの電気プロペラモータ又は花火点火モータの手段によって動かすことができる。本発明の第３の見地によると、上述の容器は、前記容器を動かすために作動するタービンを備え、そのタービンは、水域又は水路の表面下に、水の流路の出口の下流に配置された入口と、前記容器の外に向かう水の噴流を作るように設計された出口とを備える。
【００２６】
本発明の第３の見地は、タービンが水の流路と連続して配置され、前記タービンが前記水の流路の水の流速を制御し、特にこの流速を増加することができ、それは、特に例えば初期段階の間便利であり、容器の移動が比較的遅くとも、ごみの効果的な収集が水の流路内のタービンによってもたらされる高速な流速によって確保されるので有利である。
【００２７】
タービンの出口には、有利にも、位置が調整可能な偏向板が提供され、その位置は前記タービンによって形成される水の噴流の方向を決定する。
【００２８】
偏向板は、この特定の目的のための他の手段、取り付けゴム等を必要とせずに、容器を操作できるようにする。
【００２９】
容器が一つの外郭を有する場合、水の入口と水の出口は前記外郭の船主及び船尾に作られ、水の流路を定義する中空部を備える。
【００３０】
しかし、本発明の第４の見地によると、上述された容器は少なくとも２つの外郭を供え、それらは互いに固定され、互いに実質的に平行であり、前記外郭が離間する距離は、水の流路の幅を定義する。
【００３１】
このような複数の外郭構造は、大きな安定性とより良い操作性を容器に与え、単純な態様で水の流路を作ることを可能にし、前記水の流路は外郭の間に自然に形成される。
【００３２】
このような容器は、前記外郭の底部を連結する整流板を備え、前記整流板が水域又は水流の表面から分離している距離は、水の流路の深さを定義する。
【００３３】
整流板は、保持手段の操作を妨害する危険性がある、容器の下から来るいかなる渦からも水の流路を隔てることを可能にする。
【００３４】
整流板には、例えば、陸地で容器を移動する操作を促進するためのタイヤ等の回転部材が提供されている。
【００３５】
本発明の上述の特徴、及び他のものは、実施形態の一例としての以下の説明を読むことにより、より明確に現れ、前記記載は添付図面に関連して与えられる。
【発明を実施するための最良の形態】
【００３６】
図１は、本発明の一つの特定の実施形態に従った容器ＢＡＴを示した概略図である。この容器ＢＡＴは、水域又は水路の表面を移動し、前記表面に存在する、器内に流入したごみを収集するように設計されたものである。この容器ＢＡＴは、保持手段（ＭＲＳ，ＭＲＬ）を備え、それはごみを捕捉し且つ保持することが可能であり、容器の移動によって作動される。これらの保持手段（ＭＲＳ，ＭＲＬ）を、同図において太線で示す。
【００３７】
本実施形態のこの例で、容器ＢＡＴは２つの外郭ＣＱ１及びＣＱ２を備え、それは互いに固定され、実質的互いに並行である。これらの外郭は、その間に、容器ＢＡＴが異動する際に水の入口ＥＯと水の出口ＳＯとを連結する水の流路を定義し、保持手段（ＭＲＳ，ＭＲＬ）は、前記水の流路の少なくとも一つの経路に配置される。
【００３８】
保持手段（ＭＲＳ，ＭＲＬ）は、前記水の流路の第１の経路に配置される液体ごみ保持手段ＭＲＬを備える。液体ごみ保持手段ＭＲＬは、容器ＢＡＴが移動する際に水の流路が通過する保持タンクＣＵＶを備える。
【００３９】
水路の上面を加熱するために、容器ＢＡＴは手段ＨＭを備え、前記手段は、凝集体又は半液状小粒の形で存在しうる油によって形成された液状ごみを流体化する。これらの加熱手段ＨＭは、例えば電磁放射ＥＭＷを、赤外線波又はマイクロ波の形で放射し、その振幅及び波長は、前記電磁放射ＥＭＷが所定の深さＤｅで確実に貫通するように事前に調整されなくてはならず、それは例えば５〜１５センチメートルの間であろう。
【００４０】
容器ＢＡＴはまた有利にも、保持タンクＣＵＶの内部の温度を調整する手段を備えるが、その手段は、この図を不必要に雑然とさせることのないように図示しない。また、その調整手段は、後に続く、例えば揚水によってタンクを空にする工程を容易にするために、タンクＣＵＶに含まれる油を油の状態で維持することを可能にする。これらの調整手段は、例えばタンクＣＵＶの壁に一体化された電気抵抗を含むことができ、タンクＣＵＶの内部の温度が閾値以下に落ちた場合に電流が供給されるように設計される。
【００４１】
ここで述べる実施形態で、保持タンクＣＵＶは、
水の流路の入口ＥＯに連結されるように設計され、前記保持タンクの上縁によって形成され、水面近傍に置かれるように設計された入口ＥＬと、
前記水の流路の出口ＳＯに連結されるように設計され、保持タンクＣＵＶの底部に作られた開口部によって形成されて、前記保持タンクＣＵＶが液体ごみで満杯の場合に閉鎖手段（図示せず）によって遮断されるように設計された出口ＳＬと、
を備える。
【００４２】
この場合の液体ごみ保持手段ＭＲＬは、保持タンクＣＵＶに向かう水の流れに向き、水の流路の第１の経路の形成を促進するように設計された漏斗ＥＮＬも備える。
【００４３】
保持手段（ＭＲＳ，ＭＲＬ）は、液体ごみ保持手段ＭＲＬに対する水の流路の上流に配置された固体ごみ保持手段ＭＲＳも備える。これらの固体ごみ保持手段ＭＲＳは、第１及び第２の格子ＧＲ１及びＧＲ２を備え、それは、水の流路を横切って配置され、アセンブリ（ＧＲ１，ＧＲ２）を形成するように互いに対して突き出し且つ互いに固定されている。そのアセンブリは、第１及び第２の外郭に固定された２つの支持体ＳＵＰを有する枢動連結部によって前記容器に対して移動することができ、その枢動連結部によって前記アセンブリ（ＧＲ１，ＧＲ２）は回転軸Ａ１を中心として回転することができる。
【００４４】
容器ＢＡＴはタービンＴＵＲも備え、それはモータＭＯＴによって制御され且つ前記容器を作動するように設計されており、当該タービンは、水域又は水路の表面の下に、水の流路の出口ＳＯの下流に配置された入口と前記容器ＢＡＴの外側に向かう水の噴流を作り出すように設計された出口とを有する。
【００４５】
図２は、第１の操作構成での、左舷から見た当該容器ＢＡＴの概略図を示す。この容器の、上述した部材には同じ参照符号を付し再度記載しない。この概略図には、いずれにせよモータＭＯＴによって制御されるタービンの出口に提供される偏向板ＤＥＦが示されており、当該偏向板ＤＥＦの位置は調整可能であり、前記タービンで作られる水の噴流ＪＯの方向を決定する。この概略図は、容器ＢＡＴの２つの外郭の底部を接続している整流板ＣＡＲも示している。
【００４６】
容器ＢＡＴは、この場合水域の表面を移動する。その位置を線ＮＥで示す。この第１の構成で偏向板ＤＥＦは高い位置にあり、その結果、タービンによって作り出された水の噴流ＪＯは容器ＢＡＴの後方に向けられ、容器ＢＡＴは、次にＶｂａｔの速度で前方に移動する。水域に対する容器の相対速度は水の流路を発生させ、それは水の入口ＥＯ及び水の出口ＳＯを連結する。この水の流路の確立は、タービンを通った水流によって促進され、この水の流路の水の流速は、モータＭＯＴを制御することによって制御可能である。
【００４７】
液状ごみ保持手段ＭＲＬが、水の流路の第１の経路ＴＲＡＪ１に配置され、第１及び第２の格子ＧＲ１及びＧＲ２によって形成される固体ごみ保持手段が前記水の流路の第２の経路ＴＲＡＪ２に配置されている。
【００４８】
固体ごみ保持手段を形成する第１及び第２の格子ＧＲ１及びＧＲ２は、液体ごみ保持手段ＭＲＬに対して水の流路の上流に配置され、第１及び第２の経路ＴＲＡＪ１及びＴＲＡＪ２は、第１の格子ＧＲ１と液体ごみ保持手段ＭＲＬの漏斗ＥＮＴとの間に位置する水の流路の入口ＥＯと固体ごみ保持手段の出口との間で一致している。
【００４９】
調整可能な敷居(図示せず）を、第１及び第２の格子ＧＲ１及びＧＲ２の上流に提供することができ、第１及び第２の経路ＴＲＡＪ１及びＴＲＡＪ２の一致した流れを、容器ＢＡＴの流入量の関数として制御し、その流入量は例えば前記容器の過負荷によって発生される。
【００５０】
第１及び第２の格子ＧＲ１及びＧＲ２の２つの隣接バーの間隔より大きなサイズを有する全ての固体ごみＤＳは、容器が前方に移動すると前記格子によって保持される。しかし、第１及び第２の格子ＧＲ１及びＧＲ２は液体の物体の通過の障害とならず、従って水の入口ＥＯを介して取り込まれた固体ごみＤＳだけを水から除去する。固体ごみ保持手段の出口に存在する水は、表面近傍に液体ごみＤＬを含み、港湾の水の場合はしばしば油膜等である前記液体ごみを、同図では水位ＮＥに近接した斜線で示す。液体ごみＤＬは、保持タンクの入口ＥＬに向かう漏斗ＥＮＴによって第１の経路ＴＲＡＪ１に沿って向けられ、その比重は水よりも低いので表面に蓄積される。水はタンクの出口開口部を通して水の流路の出口ＳＯに向かって逃げることができる。本実施形態において第１の経路ＴＲＡＪ１に沿った流れの生成は、この場合深さ方向に減少する表面領域を有する保持タンクの特定の形によって発生されるベンチュリ効果により促進される。
【００５１】
水の流路の第２の経路ＴＲＡＪ２は、液体ごみを含まない水が、より深いところから運ばれるので、整流板ＣＡＲと前記保持タンクの底部との間を水出口ＳＯに向かって流れることができるようにする。この第２の経路ＴＲＡＪ２は、第１の経路ＴＲＡＪ１が遮断されない場合実質的に妨げられない。
【００５２】
液体ごみ保持手段ＭＲＬは、保持タンクが液体ごみＤＬで満杯のときに保持タンクを塞ぐように設計された閉塞手段を備える。本実施形態でこれらの閉塞手段は浮遊体ＦＬからなり、それは液体ごみＤＬより大きく且つ水よりも小さな比重を有する材料からなる。その結果、浮遊体が自然に、保持タンク内で共に含まれる液体ごみＤＬと水との間の分離の線のすぐ下の位置に保持される。これによって、前記保持タンクが満杯のときに自動的に保持タンクが閉じることができる。これは、保持タンクが液体ごみＤＬで満杯になるにつれて浮遊体ＦＬが徐々にタンクの底部に作られた開口部に向かって押されるからである。タンクが満杯になると、浮遊体は、前記開口部に対して自然に押され、故にタンクの出口が閉じられる。
【００５３】
図３は、第２の構成の形の状態を示す。当該実施形態で第１の経路ＴＲＡＪ１は、液体ごみＤＬ保持手段ＭＲＬのタンクの底部に作られた開口部を閉鎖する浮遊体ＦＬにより遮断されている。水のレベルＮＥを急速に変化する可能性のある渦の存在の下、前記保持タンクが溢れることを防止するために、閉塞フラップＴＦが作動されて保持タンクの入口ＥＬを塞いでいる。第２の経路ＴＲＡＪ２は、第１の経路ＴＲＡＪ１の遮断により実質的に影響を受けない。その結果、水は水の入口ＥＯと水の出口ＳＯとを連結する水の流路に流れ続け、容器ＢＡＴはその速度Ｖｂａｔで移動を続ける。第２の経路ＴＲＡＪ２によって得られるこの水の流路の連続する存在は、第１及び第２の格子ＧＲ１及びＧＲ２によって収集された新たな固体ごみＤＳの存在により示すように、固体ごみ保持手段が操作を連続することを可能にする。
【００５４】
図４は、上述した特定の実施形態に従った容器ＢＡＴの第３の可能な操作構成を示す。この第３の構成において、モータＭＯＴによって制御されるタービンの出口の上に提供される偏向板ＤＥＦは低い位置にあり、その結果、前記タービンによって作られる水の噴流ＪＯを、容器ＢＡＴの前に向かってそらすことによって妨害する。これは、前記容器ＢＡＴの速度Ｖｂａｔの方向を逆方向に向け、従って前記容器を後ろに移動させるという影響を有する。そのような後ろへ移動する能力は、容器ＢＡＴが、操作のために小さな余裕しかない状況で特に有用である。例えば、一般に、利用可能なスペースが波止場地帯で可能な限り船によって占められている港、又はドッグ入れ又は出港の最中の場合の港に導入された場合である。偏向板ＤＥＦは、左舷半偏向板と右舷半偏向板とのアセンブリを含むことができ、右舷半偏向板は図に示されておらず、左舷半偏向板のみ図示する。また、前記半偏向板は制御することができ、タービンによって作られる水の噴流ＪＯの方向を右舷又は左舷に向けて曲げるために分離して制御することができる。
【００５５】
この第３の構成の場合のように、容器ＢＡＴの移動方向が反対の場合であっても、固体ごみＤＳ保持手段（ＧＲ１，ＧＲ２）及び液体ごみＤＬ保持手段ＭＲＬが動作を維持するように、タービンによって発生される水の流れが水の入口ＥＯと水の出口ＳＯとの間で十分な流速を保つことを可能にし、第１及び第２の経路ＴＲＡＪ１及びＴＲＡＪ２が、上述のように少なくとも液体ごみＤＬの保持タンクが満杯になるまで遮断されないことに注意すべきである。
【００５６】
一つの特定の構成において、タービンによって作られた水の噴流ＪＯが垂直な方向を有するように偏向板ＤＥＦが向けられることもありうる。水域又は水路に対する容器ＢＡＴの流速Ｖｂａｔはゼロになり、一旦全ての慣性の影響が消滅するが、水の入口ＥＯと水の出口ＳＯとの間の流量は維持され、容器ＢＡＴの移動が妨げられる間でさえ固体ごみＤＳ保持手段（ＧＲ１，ＧＲ２）及び液体ごみＤＬを保持する手段ＭＲＬを作動する。
【００５７】
図５は、上述の特定の実施形態に従った容器ＢＡＴの第４の可能な操作構成を示す。この第４の構成で容器ＢＡＴは、内部に収集された種々のごみを降ろすことを目的としてドックに入れられる。この目的のために、第１及び第２の格子ＧＲ１及びＧＲ２によって形成されるアセンブリは、前記アセンブリ（ＧＲ１，ＧＲ２）を支持部ＳＵＰに連結する枢動連結部の軸線Ａ１を中心として回転され、この実施形態で枢動連結部は前記アセンブリ（ＧＲ１，ＧＲ２）に容器ＢＡＴに対する移動性を与える。他の実施形態で、第１及び第２の格子ＧＲ１及びＧＲ２で形成されるアセンブリは完全に取り除かれることができる。第１及び第２の格子ＧＲ１及びＧＲ２によって形成されるごみ保持手段によって収集され、保持される固体ごみＤＳは、次に、本実施形態で移動ホイストＰＡＬ上に懸垂されるスキップＢＥＮに注がれる。保持タンクに含まれる液体ごみＤＬは、入口及び出口は閉塞フラップＴＦ及び浮遊体ＦＬによってそれぞれ事前に閉鎖され、次に吸引力ＡＳＰを作り出すことによって吸引パイプＴＵＹを使用して除去される。
【００５８】
上記した容器ＢＡＴの積荷を降ろす操作は陸地で実行することができる点に留意すべきである。容器ＢＡＴの整流板ＣＡＲの底部表面には、本実施形態で前輪Ｒ１及び２つの後輪Ｒ２及びＲ３である容器ＢＡＴを陸地で移動する操作を促進するように設計された回転部材が設けられ、その左舷車輪のみ図示する。これらの回転部材Ｒ１，Ｒ２及びＲ３は、前記容器ＢＡＴを、例えば陸地を越えて運搬したり、容器を浮遊状態にしたりするために、土台又はトレイラーに乗り上げるのに非常に有用であり、それは、次に要求されるべき岸に沿った回転において、クレーンを使用する必要性を省くからである。
【図面の簡単な説明】
【００５９】
【図１】本発明の特定の実施形態の一つに従った容器の概略図である。
【図２】当該容器の概略図であり、容器左舷から見た、第１の操作構成の図である。
【図３】当該容器の概略図であり、容器左舷から見た、第２の操作構成の図である。
【図４】当該容器の概略図であり、容器左舷から見た、第３の操作構成の図である。
【図５】当該容器の概略図であり、容器左舷から見た、第４の操作構成の図である。
【符号の説明】
【００６０】
ＢＡＴ            容器
ＭＲＳ            固体ごみ保持手段
ＭＲＬ            液体ごみ保持手段
ＥＯ              水入口
ＳＯ              水出口
ＨＭ              加熱手段
ＣＵＶ            保持タンク
ＦＬ              浮遊体
ＴＲＡＪ１        第１の経路
ＴＲＡＪ２        第２の経路
ＧＲ１            第１の格子
ＧＲ２            第２の格子
ＴＵＲ            タービン
ＤＥＦ            偏向板
ＣＱ１及びＣＱ２  外郭
ＣＡＲ            整流板
【図１】
2005532946.tif 000003
【図２】
2005532946.tif 000004
【図３】
2005532946.tif 000005
【図４】
2005532946.tif 000006
【図５】
2005532946.tif 000007
【国際調査報告】
2005532946.tif 000008
2005532946.tif 000009
2005532946.tif 000010
2005532946.tif 000011
2005532946.tif 000012
2005532946.tif 000013